(57)【要約】  照明システム（１）は、複数の光源アセンブリ（１０）及び共通コントローラ（２１）を含む。各光源アセンブリ（１０）は、互いに異なるカラーの光を発生するための複数の個々に制御可能な光源（１１、１２、１３）を含む。コントローラは、各光源のために比較的狭い周波数帯域内の周波数を有する複数のスイッチ周波数信号（ＳF1、ＳF2、ＳF3）を発生するように構成されており、上記異なる周波数信号（ＳF1、ＳF2、ＳF3）は互いに異なる周波数（ｆ1、ｆ2、ｆ3）を有している。各光源アセンブリにおいて、各光源はそれぞれ上記スイッチ周波数信号（ＳF1、ＳF2、ＳF3）の各１つに応答し、各スイッチ周波数信号が０である間はオンになり、各スイッチ周波数信号がそれぞれの周波数を有している間はオフになる。【選択図】図１
2009541929.tif 000002
【特許請求の範囲】
【請求項１】
複数の光源アセンブリ及び共通コントローラを含む照明システムであって、
上記光源アセンブリの各々は、互いに異なるカラーの光を発生する複数の個々に制御可能な光源を含み、
上記コントローラは、上記各光源のための複数のスイッチ周波数信号を発生するように動作し、上記異なるスイッチ周波数信号は、それぞれ比較的狭い周波数帯域内の互いに異なる周波数を有し、
上記各光源アセンブリにおいて、上記各光源は、それぞれ上記スイッチ周波数信号の１つに応答する、
ことを特徴とする照明システム。
【請求項２】
上記各スイッチ周波数信号は、上記信号が実質的にゼロである第１状態と、上記信号が上記比較的狭い周波数帯域内の上記周波数を有している第２状態との間をスイッチされるものであり、上記光源は、上記各スイッチ周波数信号が上記状態の一方にある間はオンになり、上記各スイッチ周波数信号が逆の状態にある間はオフになることを特徴とする請求項１に記載の照明システム。
【請求項３】
上記光源は、上記各スイッチ周波数信号がその第１状態（ゼロ）にある間はオンになり、上記各スイッチ周波数信号がその第２状態にある間はオフになることを特徴とする請求項２に記載の照明システム。
【請求項４】
上記共通コントローラは上記光源アセンブリの動作を制御するための共通制御システムの一部であり、上記制御システムは制御バスを含み、上記共通コントローラはその出力が上記制御バスに結合されており、
上記各光源アセンブリは、上記制御バスに結合されている制御入力を有し、
上記コントローラは、上記光源アセンブリが発生する光の所望のカラーポイントを表す設定点信号を受けるための入力を有し、
上記コントローラは、上記受けた設定点信号に基づいて、上記各光源のための複数のスイッチ周波数信号を発生するように構成されており、上記各スイッチ周波数信号は、上記信号が実質的にゼロである第１状態と、上記信号が比較的狭い周波数帯域内の周波数を有している交流信号である第２状態との間をスイッチされるものであり、上記異なるスイッチ周波数信号は互いに異なる周波数を有し、
上記コントローラは、その出力にバス信号として上記スイッチ周波数信号の総和を供給するように構成されており、
上記各光源アセンブリにおいて、上記各光源は、それぞれ上記各スイッチ周波数信号が上記状態の一方にある間はオンになり、上記各スイッチ周波数信号が逆の状態にある間はオフになるように、それぞれ上記各スイッチ周波数信号の１つに応答するように構成されている、
ことを特徴とする請求項１に記載の照明システム。
【請求項５】
上記制御バスは、２線式制御バスであることを特徴とする請求項４に記載の照明システム。
【請求項６】
上記制御バスは更に、上記光源アセンブリのための電力を伝送することを特徴とする請求項４に記載の照明システム。
【請求項７】
上記コントローラは、
上記受けた設定点信号に基づいて、上記各光源のためのデューティサイクルを計算するように動作する計算器と、
複数のデューティサイクル発生器と、
を含み、
上記各デューティサイクル発生器は、上記計算器からそれぞれ受けた各デューティサイクルに応答し、第１値（高）及び第２値（低）を択一的に有するデューティサイクル信号を発生し、上記デューティサイクル信号のデューティサイクルは上記計算器から受けた上記各デューティサイクルにそれぞれ対応しており、
上記コントローラは、複数の周波数発生器を更に含み、
上記各周波数発生器は、各デューティサイクル発生器から受けた各デューティサイクル信号にそれぞれ応答し、上記各デューティサイクル信号に基づいて上記スイッチ周波数信号を発生する、
ことを特徴とする請求項４に記載の照明システム。
【請求項８】
上記周波数発生器は、それぞれ上記各デューティサイクル信号が上記第１値（高）を有している間は比較的狭い周波数帯域内の周波数を有する交流信号を出力し、また上記周波数発生器は、それぞれ上記各デューティサイクル信号が上記第２値（低）を有している間はゼロ信号を出力することを特徴とする請求項７に記載の照明システム。
【請求項９】
上記コントローラは、上記周波数発生器からの上記スイッチ周波数信号を加算するための第１加算器を含み、上記第１加算器の出力信号はバス信号として供給されることを特徴とする請求項７に記載の照明システム。
【請求項１０】
上記コントローラは、直流電力信号を上記周波数発生器からの上記スイッチ周波数信号に加算するための第２加算器を含み、上記第２加算器の出力信号はバス信号として供給されることを特徴とする請求項９に記載の照明システム。
【請求項１１】
上記各光源アセンブリは、
複数のバンドパスフィルタを含み、上記各バンドパスフィルタはそれぞれ上記アセンブリ入力から上記バス信号を受け、また上記比較的狭い周波数帯域の各１つと整合するバンドパス特性を有し、
複数の制御可能なランプドライバを更に含み、上記各ランプドライバはそれぞれ上記光源の各１つに関連付けられ、上記各ランプドライバは２つの動作状態で動作可能であり、上記ランプドライバは、その第１動作状態で動作している時にはランプ電流を発生し、その第２動作状態で動作している時にはランプ電流を発生せず、
上記各ランプドライバは、各バンドパスフィルタの濾波された出力信号に応答してその動作状態をセットする、
ことを特徴とする請求項４に記載の照明システム。
【請求項１２】
上記ランプドライバは、上記各バンドパスフィルタの上記濾波された出力信号が所定のしきい値レベルより低い時にはその第１動作状態で動作し、上記各バンドパスフィルタの上記濾波された出力信号が上記所定のしきい値レベルより高い時にはその第２動作状態で動作することを特徴とする請求項１１に記載の照明システム。
【請求項１３】
上記各光源アセンブリはローパスフィルタを含み、上記ローパスフィルタは上記アセンブリ入力から上記バス信号を受けるように結合されている入力を有し、上記ローパスフィルタは上記ランプドライバのための電力信号を供給することを特徴とする請求項１１に記載の照明システム。
【発明の詳細な説明】
【技術分野】
【０００１】
本発明は、一般的にはカラー照明の分野に関する。特定的には、本発明はカラー及びルミナンスレベルを制御することができる複数の光源を含む照明デバイスに関する。以下の説明では各光源がＬＥＤであるものとして説明しているが、本発明は、例えばＴＬランプ、ハロゲンランプ等のような他の型の光源を用いて実施することもできる。
【背景技術】
【０００２】
一般的に言えば、光の強さ（減光）が可変であり、カラーが可変である光を発生することができる照明デバイスに対する要望が存在している。当業者には明白なように、従って詳細な説明は不要なように、互いに異なるカラーの光を発生する３つの原色ＬＥＤを含む配列を用いれば、色域の大部分内の全ての可能なカラーの光を発生することができる。典型的な例では、１つのＬＥＤが「赤」光を発生し、第２のＬＥＤが「緑」光を発生し、そして第３のＬＥＤが「青」光を発生する。これら３つの原色ＬＥＤの組合された光出力は、これら３つの原色ＬＥＤのカラーによって限定されるカラー三角形内の混合されたカラーを有し、このカラー三角形内の正確なカラーポイントは３つの原色ＬＥＤの相互の強さ比に依存する。従って、３つの原色ＬＥＤの１つの相対的な強さを変化させることによって配列のカラーポイントを変化させることができ、一方カラーポイントを維持しながら光出力の強さを変化させるには全ての原色ＬＥＤの強さを同じ程度だけ変化させることによって行うことができる。
【０００３】
互いに異なるカラーを有する３つより多くの原色ＬＥＤを使用することが可能であり、当業者には明らかなように、このような場合にも適当に順応させることによって本発明を適用できることを理解されたい。
【０００４】
以下の説明では、３つの（または、それ以上の）異なる原色光源を含む基本的アセンブリを“スポット”というフレーズで表すことにする。従って、スポットは、その最小実施例においてはまさに３つのＬＥＤからなる。しかしながら、互いに実質的に同一の（各々が実質的に同一カラーを発生する）ＬＥＤを並列及び／または直列配列に接続したアレイによって原色光源を実現し、光出力を増加させることができる。以下の説明では、各原色光源が単一のＬＥＤで実現されているものとすることを理解されたい。
【０００５】
各ＬＥＤの光の強さを制御するために、スポットにはマイクロコントローラが設けられている。マイクロコントローラは、例えば中央マイクロコントローラまたはＰＣからの設定信号を受けるための入力を有している。マイクロコントローラは更に、各ＬＥＤの動作を制御するために、各ＬＥＤに１つずつ、計３つの制御出力を有している。典型的には、ＬＥＤは可変デューティサイクルで動作して各光強度を変化させる。
【発明の開示】
【発明が解決しようとする課題】
【０００６】
照明システムは、同じように動作する（即ち、同一の光カラーと強さレベルを発生する）２つまたはそれ以上のスポットを含むことができる。従って、スポットの数を増加させると、マイクロコントローラの数もまた増加する。マイクロコントローラはスポットにおける主要コストファクタであるから、これはコストの点から問題を惹起する。
【０００７】
本発明は、上記問題を解消することを目的とする。詳述すれば、本発明は、２つまたはそれ以上のスポットを含み、単一の共通コントローラを用いて動作させることができる比較的簡単な、そして低コストの照明システムを提供することを目的としている。
【課題を解決するための手段】
【０００８】
この目的のために、本発明は、ＬＥＤのための電力、並びにＬＥＤのためのコマンド信号を伝送する２本のワイヤーだけを必要とする通信システムを提供する。
【０００９】
欧州特許第１５５５８５９号明細書には、複数のＬＥＤが、ＬＥＤのための電力、並びにＬＥＤのためのコマンド信号を伝送する共通の２線式バスを介して制御される照明システムのための通信システムが開示されている。この従来技術システムにおいては、コマンド信号はコード化されたメッセージである。各メッセージは、そのメッセージの行き先ＬＥＤを表すコード化されたアドレスと、ＬＥＤに遂行させる動作を表すコード化された命令とを含んでいる。このシステムは中央制御を実現するが、それにも拘わらず、実際には各スポットがコード化された命令を受け、デコードし、そして処理するための知的デバイス（例えば、マイクロプロセッサ）を有する必要があることから、かなり複雑且つ高コストになる。
【００１０】
【特許文献１】欧州特許第１５５５８５９号明細書
【００１１】
本発明が提唱するシステムでは、コマンド信号は遙かに簡単で、各ＬＥＤを直接制御する。コマンド信号は狭い周波数帯域内の信号として実現され、この信号は存在または不存在の何れかである。異なるＬＥＤに対しては、異なる周波数帯域が使用される。各スポットは、各周波数帯域に対応するフィルタを含む。ＬＥＤは、このフィルタの出力信号で直接制御される。信号の存在または不存在はＬＥＤのオンまたはオフを意味し、従ってＬＥＤのデューティサイクル制御は、コマンド信号のデューティサイクル制御を通して中央コントローラによって直接制御される。
【００１２】
以下の添付図面に基づく本発明の説明から、本発明のこれらの、及び他の面、特カラー、及び長所が明白になるであろう。なお、同一の、または類似の部品には添付図面を通して同一の参照番号を付してある。
【発明を実施するための最良の形態】
【００１３】
図１は、複数の光源アセンブリ１０及び制御システム２０を含む照明システム１の概要図である。図には４つの光源アセンブリ１０が示されているが、光源アセンブリの数は３つ以下であることも、または５つ以上であることもできる。以下、光源アセンブリを単に“スポット”ということにする。
【００１４】
各スポット１０は、複数の原色光源１１、１２、１３を含む。図には、スポット当たり３つの原色光源が示されているが、原色光源の数は３つより多いことができる。好ましい実施の形態では、原色光源はＬＥＤによって構成されているが、他の型の光源も可能である。各原色光源は、単一のＬＥＤ（または、他の型の光源）によって構成することができるが、原色光源を直列及び／または並列に接続された複数のＬＥＤ（または、他の型の光源）によって構成し、光出力を増加させることも可能である。１つのスポットの原色光源１１、１２、１３は互いに異なる。即ち、それらは互いに異なるカラー（典型的には、赤、緑、青）の光を発生する。異なるスポットでは、原色光源当たりのＬＥＤ（または、他の型の光源）の数を異ならせることはできるが、異なるスポットの原色光源１１、１２、１３が互いに同一カラーの光を発生する、即ち、各スポットが赤色光、緑色光、及び青色光の組を発生することから、スポットは互いに実質的に同一である。
【００１５】
各スポット１０が発生するスポット出力光１４は、スポットのそれぞれの原色光源１１、１２、１３によって放出された光の混合である。スポット出力光１４は、それぞれの光源の出力の強さ比に依存するカラーを有している。１つまたはそれ以上の光源の出力の強さを変えることによって、スポット出力光１４のカラー及び／または強さが変化する。照明システム１の制御システム２０は、各スポットが実質的に同一の混合光の強さで実質的に同一の混合光カラーを発生させるように、スポットの個々のランプを制御するように設計されている。
【００１６】
制御システム２０は、例えばユーザから、または外部マイクロコントローラまたはＰＣ（図示してない）から、設定点信号ＳSPを受けるための入力を有する共通コントローラ２１を含んでいる。コントローラ２１は更に、２線式制御バス２４に接続されている出力２３を有している。コントローラ２１は、入力２２から受けた設定点信号ＳSPに基づいて出力２３に出力信号ＳBUSを供給するように設計されている。出力信号ＳBUSはスポット１０のための電力並びに制御信号を含んでいる。全てのスポットがバス２４に並列に接続されていて、全てのスポットは同一入力信号を受ける。コントローラ２１は、電力入力２６に、電池等であることができる汎用電源（図１の例では、商用電源から給電されているＡＣ／ＤＣコンバータ２５として示されている）から給電される。
【００１７】
図２は、コントローラ２１の実施の形態のより詳細なブロックダイアグラムである。コントローラ２１は、３つの出力３１、３２、３３と、コントローラ入力２２から設定点信号ＳSPを受ける１つの入力３４とを有する計算器３０を含んでいる。設定点信号と、関連するメモリ３５内のカラー設定情報（例えば、ルックアップテーブル、公式等）とに基づいて、計算器３０はそれぞれのＬＥＤ １１、１２、１３のための動作デューティサイクルΔ１、Δ２、Δ３を計算する。計算器３０は、それぞれデューティサイクルΔ１、Δ２、Δ３を表す信号を出力するための出力３１、３２、３３を有している。異なる光源のデューティサイクルを制御してカラーを制御する技術自体は公知であるので、詳細な説明は不要であろう。ここでは、デューティサイクルΔがランプ周期の持続時間に対するランプのオン時間の持続時間の比であること、そしてそれを例えばパーセンテージで、または０乃至１の数で表すことができることに言及するに留める。
【００１８】
コントローラ２１は更に、計算器３０からデューティサイクルΔ１、Δ２、Δ３を受けるデューティサイクル発生器４１、４２、４３を含む。各デューティサイクル発生器４１、４２、４３は、デューティサイクル信号ＳDC1、ＳDC2、ＳDC3をそれぞれ発生するように動作する。各デューティサイクル信号は、「高」値（即ち“１”）、または「低」値（即ち“０”）の何れかを有する信号である。以下に説明するように、スポットのＬＥＤは、デューティサイクル信号が「高」値を有している時に「オン」になり、デューティサイクル信号が「低」値を有している時に「オフ」になる。または、代替として、スポットのＬＥＤは、デューティサイクル信号がその「高」値を有している時に「オフ」になり、デューティサイクル信号がその「低」値を有している時に「オン」になる。何れの場合も、デューティサイクル信号の周期がＬＥＤ電流の周期を決定し、「低」信号値の持続時間に対する「高」信号値の持続時間の比がＬＥＤ電流のデューティサイクルを決定する（これは、計算器３０から受けたデューティサイクルΔに等しくなるように設定される）。各デューティサイクル発生器は、それ自体は公知のブロックパルス発生器によって実現することができることを理解されたい。また、異なるデューティサイクル発生器４１、４２、４３によって生成されるデューティサイクル信号ＳDC1、ＳDC2、ＳDC3の信号周期は互いに同一であることはできるが、それが必須ではないことも理解されたい。
【００１９】
デューティサイクル発生器４１、４２、４３は、計算器３０と統合できることを理解されたい。
【００２０】
コントローラ２１は更に制御可能な周波数発生器５１、５２、５３を含み、これらの周波数発生器５１、５２、５３はそれぞれ、デューティサイクル発生器４１、４２、４３からデューティサイクル信号ＳDC1、ＳDC2、ＳDC3を受ける。各周波数発生器５１、５２、５３はそれぞれ、所定の周波数ｆ1、ｆ2、ｆ3を有する周波数信号（好ましくは単一周波数、または比較的狭い周波数帯域内の正弦波形）を発生することができる。異なる周波数発生器５１、５２、５３の周波数ｆ1、ｆ2、ｆ3は互いに異なる。周波数ｆ1、ｆ2、ｆ3の適当な値は、例えば57ｋＨｚ、73ｋＨｚ、127ｋＨｚである。
【００２１】
周波数発生器５１、５２、５３は、制御信号として受けたデューティサイクル信号ＳDC1、ＳDC2、ＳDC3に基づいて周波数信号を発生したり、または発生しなかったりするように制御可能である。例えば、周波数発生器に周波数信号を連続的に発生させておき、周波数発生器の出力にデューティサイクル信号によって制御されるスイッチを設けて周波数信号を通過させたり、または阻止したりすることができる。また、周波数発生器を、デューティサイクル信号によってオン及びオフにスイッチさせることもできる。何れの場合も、周波数発生器５１、５２、５３の出力信号ＳF1、ＳF2、ＳF3はそれぞれのスイッチされた信号であり、この信号は０、または対応する周波数ｆ1、ｆ2、ｆ3を有する交流信号の何れかである。以下の説明では、周波数発生器５１、５２、５３の出力信号ＳF1、ＳF2、ＳF3はそれぞれ、対応するデューティサイクル信号ＳDC1、ＳDC2、ＳDC3がそれぞれ「低」である時にはゼロであり、対応するデューティサイクル信号ＳDC1、ＳDC2、ＳDC3がそれぞれ「高」である時には対応する周波数ｆ1、ｆ2、ｆ3を有する交流信号であるものとする。
【００２２】
交流信号は負の値と正の値との間を交番することができるが、交流信号が０と負の値、または正の値との間を交番することもできることを理解されたい。
【００２３】
周波数発生器５１、５２、５３はそれぞれ、デューティサイクル発生器４１、４２、４３と統合することができ、またそれらを計算器３０と統合することができることを理解されたい。
【００２４】
コントローラ２１は更に、周波数発生器５１、５２、５３の出力信号ＳF1、ＳF2、ＳF3を受ける第１加算器６１を含んでいる。従って、第１加算器６１は、各周波数発生器５１、５２、５３の全ての出力信号ＳF1、ＳF2、ＳF3の信号成分を含む出力信号Ｓ61を供給する。
【００２５】
コントローラ２１は更に、第１加算器６１からの出力信号Ｓ61と、定電圧ＶDC（電力入力２６から受ける電圧と同一であることも、またはその電圧から定電圧源６３によって導出することもできる）とを受ける第２加算器６２を含んでいる。第２加算器６２を第１加算器６１と統合できることを理解されたい。
【００２６】
第２加算器６２の出力は、コントローラ２１の出力２３に結合されている。従って、バス２４は、直流信号ＶDCと、３つのスイッチ周波数信号ＳF1、ＳF2、ＳF3との組合せであるバス信号ＳBUSを伝送する。これを図３に示す。図３のグラフは、３つのデューティサイクル信号ＳDC1、ＳDC2、ＳDC3、３つのスイッチ周波数信号ＳF1、ＳF2、ＳF3、及びバス信号ＳBUSを時間の関数として示している。
【００２７】
図３では、第１デューティサイクル信号ＳDC1は時点ｔ11から時点ｔ12までは「高」であるように示され、時点ｔ12から時点ｔ13までは「低」であるように示されているので、第１周期Ｔ1はｔ13−ｔ11に等しい。同様に、第２デューティサイクル信号ＳDC2は時点ｔ21から時点ｔ22までは「高」であるように示され、時点ｔ22から時点ｔ23までは「低」であるように示されているので、第２周期Ｔ2はｔ23−ｔ21に等しい。同様に、第３デューティサイクル信号ＳDC3は時点ｔ31から時点ｔ32までは「高」であるように示され、時点ｔ32から時点ｔ33までは「低」であるように示されているので、第３周期Ｔ3はｔ33−ｔ31に等しい。３つの周期Ｔ1、Ｔ2、Ｔ3は互いに等しいように図示されているが、これは必須ではない。更に、明瞭化のために、ｔ21がｔ12より遅れているように示され、またｔ31がｔ22より遅れているように示され、更にｔ13がｔ32より遅れているように示されているので、３つの「高」間隔は重畳していないが、このような重畳は十分に可能である。
【００２８】
この好ましい実施の形態では、バス２４（信号ループを閉じるために、２線式バス）は同一ラインを通して電力並びに制御信号を伝送する。代替として、電力及び制御信号を分離することができ、この場合、制御信号は上記のラインを介して伝送し、電力は異なるラインを通して伝送する。この場合には、４線式バスが必要であり、または制御信号及び電力が共通戻りラインを共用しても３線式バスが必要である。
【００２９】
図４は、スポット１０を、より詳細に示すブロックダイアグラムである。スポット１０はバス２４に接続されている入力１６を有し、従ってバス信号ＳBUSを受ける。スポットは更に、スポット入力１６に接続されているそれぞれの入力を有するバンドパスフィルタ７１、７２、７３を含む。各バンドパスフィルタ７１、７２、７３は、それぞれ周波数発生器５１、５２、５３の周波数ｆ1、ｆ2、ｆ3付近の狭い周波数帯域内の信号成分を通過させ、この周波数帯域外の信号成分（直流を含む）を阻止するように設計されている。従って、第１バンドパスフィルタ７１は、スイッチ周波数信号ＳF1に対応する濾波された信号Ｓ01を出力する。同様に、第２バンドパスフィルタ７２は、スイッチ周波数信号ＳF2に対応する濾波された信号Ｓ02を出力し、第３バンドパスフィルタ７３は、スイッチ周波数信号ＳF3に対応する濾波された信号Ｓ03を出力する。
【００３０】
スポット１０は更に、それぞれバンドパスフィルタ７１、７２、７３から濾波された信号Ｓ01、Ｓ02、Ｓ03をそれぞれ受ける信号検出器８１、８２、８３を含む。信号検出器自体は、例えばピーク検出器、サンプル・ホールド検出器等として実現されていて公知であるので、信号検出器の詳細な説明は省略する。各信号検出器８１、８２、８３は、その入力信号の検出された振幅と、所定のしきい値レベルとを比較し（簡易化のために図示してない）、出力信号Ｓ81、Ｓ82、Ｓ83を発生するように動作する。これらの出力信号Ｓ81、Ｓ82、Ｓ83は、その入力信号の検出された振幅が上記しきい値レベルよりも低ければ「低」、即ち０になり、その入力信号の検出された振幅が上記しきい値レベルよりも高ければ「高」になる。従って、出力信号Ｓ81、Ｓ82、Ｓ83はそれぞれ、デューティサイクル信号ＳDC1、ＳDC2、ＳDC3に対応する。代替として、出力信号は、その入力信号の検出された振幅が上記しきい値レベルよりも低ければ「高」になり、その入力信号の検出された振幅が上記しきい値レベルよりも高ければ「低」になることもできる（インバータ機能）。
【００３１】
信号検出器８１、８２、８３はそれぞれ、バンドパスフィルタ７１、７２、７３と統合できることを理解されたい。
【００３２】
スポット１０は更に、信号検出器８１、８２、８３からの出力信号Ｓ81、Ｓ82、Ｓ83を制御信号としてそれぞれ受ける制御可能なＬＥＤドライバ９１、９２、９３を含む。制御可能なＬＥＤドライバ自体は公知であるので、ＬＥＤドライバの詳細な説明は省略することを理解されたい。各ＬＥＤドライバ９１、９２、９３は対応するＬＥＤ１１、１２、１３を駆動するように動作する。各ＬＥＤドライバ９１、９２、９３はその対応する制御信号Ｓ81、Ｓ82、Ｓ83に応答し、対応する制御信号Ｓ81、Ｓ82、Ｓ83のステータスと一致させるようにその対応するＬＥＤ１１、１２、１３をオン（ランプ電流を発生）またはオフ（ランプ電流無し）にスイッチさせる。好ましい実施の形態では、ＬＥＤは、バス２４上の対応するスイッチ周波数信号ＳF1、ＳF2、ＳF3が十分に高い振幅を有していればオフになり、バス２４上の対応するスイッチ周波数信号ＳF1、ＳF2、ＳF3が０ならばオンになる。代替として、バス２４上の対応するスイッチ周波数信号ＳF1、ＳF2、ＳF3が十分に高い振幅を有していればオンになり、バス２４上の対応するスイッチ周波数信号ＳF1、ＳF2、ＳF3が０ならばオフになるようにすることも可能である。
【００３３】
ランプ電流は、直流であることも、または交流であることもできる。
【００３４】
スポット１０は更に、ＬＥＤドライバ９１、９２、９３に給電するために、入力がスポット入力１６に結合されているローパスフィルタ７４を含んでいる。ローパスフィルタ７４は、０に近い周波数を有する信号成分を通過させ、より高い周波数、特に周波数発生器５１、５２、５３の周波数ｆ1、ｆ2、ｆ3の範囲内の周波数を有する信号成分を阻止するように設計されている。従って、ローパスフィルタ７４は定電圧源６３が発生した直流電圧ＶDCを出力する。３線式または４線式バスの場合には、ローパスフィルタ７４の入力は、バスの正しいワイヤーに接続されたスポット１０の別の入力（図示してない）に結合されることを理解されたい。
【００３５】
図５は、バス信号ＳBUS、３つの濾波信号Ｓ01、Ｓ02、Ｓ03、３つの検出器出力信号Ｓ81、Ｓ82、Ｓ83、及び３つのＬＥＤ １１、１２、１３のステータスを、時間の関数として示すグラフである。
【００３６】
以上の説明は各スポットに適用されるので、全てのスポット１０の全ての第１のＬＥＤ １１は互いに同一の周波数信号に応答して互いに同一のデューティサイクルで駆動され、全てのスポット１０の全ての第２のＬＥＤ １２は互いに同一の周波数信号に応答して互いに同一のデューティサイクルで駆動され、そして全てのスポット１０の全ての第３のＬＥＤ １３は互いに同一の周波数信号に応答して互いに同一のデューティサイクルで駆動されることは明白であろう。
【００３７】
当業者には明白なように、本発明は上述した実施の形態に限定されるものではなく、特許請求の範囲の請求項に記載されている範囲内で幾つかの変形及び変更が可能である。
【００３８】
例えば、本照明システムは必ずしもカラー制御のために使用されるのではない。
【００３９】
更に、本発明は２線式バスの適用を可能にしているが、本発明の制御システムは必ずしも２線式バスでの実施に制約されるものではない。
【００４０】
更に、各ランプドライバは、ランプ電流を発生させるためにスイッチモード電源を含むことができる。このようなスイッチモード電源は、あるスイッチング周波数で動作する。このようなスイッチモード電源の動作周波数を、バス２４上のコマンド信号に使用されている何れの周波数とも一致させないことが好ましい。
【００４１】
以上に本発明を、本発明によるデバイスの機能ブロックを示すブロックダイアグラムを参照して説明した。これらの機能ブロックの１つまたはそれ以上をハードウェアで実現し、このような機能ブロックの機能を個々のハードウェア構成要素によって遂行させることができるが、これらの機能ブロックの１つまたはそれ以上をソフトウェアで実現し、このような機能ブロックの機能をコンピュータプログラムの１つまたはそれ以上のプログラムライン、またはマイクロプロセッサ、マイクロコントローラ、デジタル信号プロセッサ等のようなプログラマブルデバイスによって遂行させることも可能であることを理解されたい。
【図面の簡単な説明】
【００４２】
【図１】照明システムの概要を示すブロックダイアグラムである。
【図２】コントローラの実施の形態の詳細を示すブロックダイアグラムである。
【図３】図２のコントローラ内の信号の概要を示すグラフである。
【図４】光源アセンブリの実施の形態の詳細を示すブロックダイアグラムである。
【図５】図４の光源アセンブリ内の信号の概要を示すグラフである。
【符号の説明】
【００４３】
１  照明システム
１０  光源アセンブリ（スポット）
１１−１３  光源
１４  スポット出力光
１６  スポット入力
２０  制御システム
２１  コントローラ
２２  コントローラ入力
２３  出力
２４  制御バス
２５  ＡＣ／ＤＣコンバータ
２６  電力入力
３０  計算器
３１  出力
３４  入力
３５  メモリ
４１−４３  デューティサイクル発生器
５１−５３  周波数発生器
６１  第１加算器
６２  第２加算器
６３  定電圧源
７１−７３  バンドパスフィルタ
７４  ローパスフィルタ
８１−８３  信号検出器
９１−９３  ＬＥＤドライバ
【図１】
2009541929.tif 000003
【図２】
2009541929.tif 000004
【図３】
2009541929.tif 000005
【図４】
2009541929.tif 000006
【図５】
2009541929.tif 000007
【国際調査報告】
2009541929.tif 000008
2009541929.tif 000009
2009541929.tif 000010